(57)【要約】【課題】栽培空間の使用効率を上げることができ、その上、栽培管理の負荷を低減できる植物の栽培方法を提供する。【解決手段】まず、第１の根２１に連なる第１の茎３１を成長させる。次に、第１の茎３１から発生した果実４１を収穫した後、第１の茎３１から第２の根２２を発生させる。次に、第１の根２１と第２の根２２との間を切断して、第１の茎１１の第２の根２２側の部分を第２の茎３２とする。これにより、第１の根２１があった場所の上方の場所を栽培空間として使え、第２の茎３２を短くすることができる。【選択図】図１
2016052266.tif 000002
【特許請求の範囲】
【請求項１】
第１の根に連なる第１の茎を成長させる工程と、
上記第１の茎から発生した収穫対象物を収穫する工程と、
上記第１の茎に第２の根を発生させる工程と、
上記第１の根と上記第２の根との間を切断して、上記第１の茎の上記第２の根側の部分を第２の茎とする工程と
を備えることを特徴とする植物の栽培方法。
【請求項２】
請求項１に記載の植物の栽培方法において、
上記第１の根と上記第２の根との間を切断して、上記第１の茎の上記第２の根側の部分を第２の茎とした後、上記第２の茎において収穫対象物が発生する側を、上記第１の茎において収穫対象物が発生する側と一致させることを特徴とする植物の栽培方法。
【発明の詳細な説明】
【技術分野】
【０００１】
この発明は、例えば、トマト、ナス、キュウリ、シソ等の植物の栽培方法に関する。
【背景技術】
【０００２】
以下、図３を用いて、特開平９−６０号公報(特許文献１)で開示された従来の植物の栽培方法について説明する。
【０００３】
上記栽培方法では、まず、トマトの苗を育成して、図３(ａ)に示すように、第１の茎１０１を上方へ伸ばす。このとき、第１の茎１０１の地表に近い部分の脇芽から発生する第２の茎１０２も育成して、図３(ｂ)に示すように、第１の茎１０１の右側方で第２の茎１０２を上方へ伸ばす。
【０００４】
次に、上記第１の茎１０１の高さが管理可能な高さＨを超えたとき、第１の茎１０１の先端部を切断することにより、図３(ｃ)に示すように、第１の茎１０１が管理可能な高さＨを超えて伸びないようにする。
【０００５】
次に、上記第２の茎１０２の地表に近い部分の脇芽から発生する第３の茎１０３を育成して、図３(ｄ)に示すように、第２の茎１０２の右側方で第３の茎１０３を上方へ伸ばす。
【０００６】
次に、上記第２の茎１０２が管理可能な高さＨを超えると、第２の茎１０２の先端部を切断することによって、第２の茎１０２が管理可能な高さＨを超えて伸びないようにする。
【０００７】
次に、図示しないが、第３の茎１０３が管理可能な高さＨを超えると、第３の茎１０３の先端部を切断することによって、第３の茎１０３が管理可能な高さＨを超えて伸びないようにする。
【０００８】
このように、上記第２,第３の茎１０２,１０３を上方へ伸ばすとき、例えば第１の茎１０１の果実の収穫が終わっていれば、第１の茎１０１において第２の茎１０２の発生箇所よりも少し上側を切断して、第１の茎１０１の大部分(一点鎖線で囲む部分)を除去する。
【先行技術文献】
【特許文献】
【０００９】
【特許文献１】特開平９−６０号公報
【発明の概要】
【発明が解決しようとする課題】
【００１０】
しかしながら、上記従来の植物の栽培方法は、第１の茎１０１の大部分を除去しても、第１の茎１０１の大部分があった場所の下方に根が残っているため、この場所で果実を栽培できない。その結果、上記従来の植物の栽培方法では、栽培空間を効率良く使うことができないという問題が生じている。
【００１１】
また、上記第２,第３の茎１０２,１０３が管理可能な高さＨを超えて伸びないようにしても、第２,第３の茎１０２,１０３は、第１の茎１０１の大部分があった場所の下方の根に連なっているため、第１の茎１０１よりも長くなってしまう。したがって、上記第２,第３の茎１０２,１０３のような茎の生成を繰り返せば繰り返すほど、茎の長さは長くなって、折れるリスクが高くなり、その結果、茎の取り扱いに細心の注意が必要となる。すなわち、上記従来の植物の栽培方法には、栽培管理の負荷が大きいという問題がある。
【００１２】
そこで、この発明の課題は、栽培空間の使用効率を上げることができ、その上、栽培管理の負荷を低減できる植物の栽培方法を提供することにある。
【課題を解決するための手段】
【００１３】
上記課題を解決するため、この発明の植物の栽培方法は、
第１の根に連なる第１の茎を成長させる工程と、
上記第１の茎から発生した収穫対象物を収穫する工程と、
上記第１の茎に第２の根を発生させる工程と、
上記第１の根と上記第２の根との間を切断して、上記第１の茎の上記第２の根側の部分を第２の茎とする工程と
を備えることを特徴としている。
【００１４】
上記構成によれば、上記第１の根と第２の根との間を切断することにより、第１の根を除去できる。したがって、上記第１の根があった場所の上方の場所を栽培空間として使えるので、栽培空間の使用効率を上げることができる。
【００１５】
また、上記第１の根と第２の根との間を切断して、第１の茎の第２の根側の部分を第２の茎とするので、折れるリスクが高い長さよりも第２の茎を短くすることができる。したがって、上記第２の茎の取り扱いに過剰な注意を払わなくてもよく、栽培管理の負荷を低減できる。
【００１６】
一実施形態の植物の栽培方法では、
上記第１の根と上記第２の根との間を切断して、上記第１の茎の上記第２の根側の部分を第２の茎とした後、上記第２の茎において収穫対象物が発生する側を、上記第１の茎において収穫対象物が発生する側と一致させる。
【００１７】
上記実施形態によれば、上記第２の茎において収穫対象物が発生する側を、第１の茎において収穫対象物が発生する側と一致させることにより、栽培者は第２の茎の収穫対象物を第１の茎の収穫対象物と同じように収穫することができる。したがって、上記収穫対象物の収穫効率を上げることができる。
【００１８】
また、上記第２の茎の収穫対象物を第１の茎の収穫対象物と同じように収穫することができるので、第１,第２の茎の収穫対象物を機械で収穫することもできる。
【発明の効果】
【００１９】
この発明の植物の栽培方法は、第１の茎の先端部以外の部分から第２の根を発生させた後、第１の根と第２の根との間を切断して、第１の茎の第２の根側の部分を第２の茎とするので、栽培空間を効率良く使うことができ、その上、栽培管理の負荷を低減できる。
【図面の簡単な説明】
【００２０】
【図１】この発明の第１実施形態のトマトの栽培方法を説明するための模式図である。
【図２】この発明の第２実施形態のトマトの栽培方法を説明するための模式図である。
【図３】従来の植物の栽培方法を説明するための模式図である。
【発明を実施するための形態】
【００２１】
〔第１実施形態〕
以下、図１を用いて、この発明の植物の栽培方法の第１実施形態のトマトの栽培方法について説明する。
【００２２】
上記トマトの栽培方法では、まず、図１(ａ)に示すように、例えばロックウールから成る第１の培地１１にトマトの苗１を植え、肥料を溶かした水を第１の培地１１に与える。これにより、第１の根２１に連なる第１の茎３１が上方へ伸びるように、苗１を成長させる。このとき、図示しないが、鉛直方向と平行に延在する紐または支柱が、苗１近傍に配置されている。これにより、第１の茎３１は、上記紐または支柱に巻き付きながら、図１(ｂ)に示すように、上方へ伸びる。すなわち、第１の茎３１の成長は、上記紐または支柱により、上方へ誘導される。
【００２３】
次に、図１(ｃ)に示すように、第１の茎３１に例えば３段の果実４１を発生させ、適切なタイミングで果実４１を収穫する。このとき、通常、１段目の果実４１と２段目の果実４１との間、および、２段目の果実４１と３段目の果実４１との間には、それぞれ、葉５１が３枚発生する。なお、果実４１は収穫対象物の一例である。
【００２４】
次に、上記第１の茎３１の先端部以外の部分に残った葉５１を全て除去して、図１(ｄ)に示すようにする。ここで、第１の茎３１の先端部とは、葉５１が例えば２枚発生する部分とする。
【００２５】
次に、上記第１の茎３１に発根処理を行う。より詳しくは、図１(ｅ)に示すように、第１の茎３１の先端部以外の部分を例えばロックウールから成る第２の培地１２で覆うと共に、肥料を溶かした水を第２の培地１２に含ませる。これにより、上記部分から第２の根２２が発生する。
【００２６】
次に、上記第１の根２１と第２の根２２との間の第１の茎３１をハサミ６１で切断する。これにより、第１の茎３１の第２の根２２側の部分は、図１(ｆ)に示すように、第２の根２２に連なる第２の茎３２となる。このとき、第２の茎３２において果実が発生する側は、第１の茎３１において果実４１が発生する側と一致するようにする。例えば、第１の茎３１において南側で果実４１が発生したのであれば、第２の培地１２を回転させて、第２の茎３２において南側で果実が発生ようにする。
【００２７】
以降、上記第１の茎３１と同様に、第２の茎３２も、紐または支柱を用いて、上方へ成長させ、図１(ｃ)〜図１(ｅ)と同様の工程を繰り返す。
【００２８】
このように、上記第１の根２１と第２の根２２との間の第１の茎３１を切断するので、第１の培地１１と共に第１の根２１を除去することができる。これにより、第２の茎３２を成長させながら、第２の茎３２の図中左側の空間においてトマトの新たな苗を栽培することができる。したがって、栽培空間の使用効率を上げることができる。
【００２９】
また、上記第１の根２１と第２の根２２との間の第１の茎３１を切断して、第１の茎３１の第２の根２２側の部分を第２の茎３２とするので、第２の茎３２は第１の茎３１よりも短くなる。その結果、第２の茎３２は、折れるリスクが下がるので、大胆に扱える。したがって、栽培管理の負荷を低減できる。
【００３０】
また、上記第２の茎３２において果実が発生する側は、第１の茎３１において果実４１が発生する側と一致するので、栽培者は第２の茎３２の果実を第１の茎３１の果実４１と同じように収穫することができる。したがって、果実の収穫効率を上げることができる。
【００３１】
また、上記第２の茎３２の果実を第１の茎３１の果実４１と同じように収穫することができるので、第１,第２の茎３１,３２の果実４１を機械で収穫することもできる。
【００３２】
また、上記第１の根２１から第２の根２２に更新するので、第２の茎３２は第２の根２２から養分や水分を効率良く吸収することができる。したがって、第２の茎３２の果実の品質が第１の茎３１の果実４１の品質よりも劣るのを防ぐことができる。すなわち、果実の品質を高く維持することができる。
【００３３】
また、上記第１の根２１と第２の根２２との間の第１の茎３１を切断したとき、第１の茎３１の第２の根２２側の部分には葉５１が残っているので、第１の茎３１の第２の根２２側の部分を良好に成長させることができる。
【００３４】
また、上記第１の茎３１では発芽から約９０日後に果実４１を収穫できるが、ハサミ６１による切断から９０日も待たずに第２の茎３２から果実を収穫することができる。
【００３５】
また、図１(ｃ)〜図１(ｅ)と同様の工程を繰り返すので、茎の高さを略一定にすることができる。したがって、栽培空間の高さが高くない場所でも、果実を効率良く栽培することができる。
【００３６】
上記実施形態では、図１(ｃ)に示す果実４１を収穫した後、第１の茎３１の先端部側の２枚の葉５１を残して、他の葉５１を全て除去したが、第１の茎３１の先端部側の１枚または３枚以上の葉５１を残して、他の葉５１を全て除去してもよい。
【００３７】
上記第１実施形態では、ロックウールから成る第１,第２の培地１１,１２を使用していたが、第１,第２の培地１１,１２の換わりに、他の材料(例えばスギ樹皮)から成る培地を使用したり、土を使用したりしてもよい。あるいは、上述の培地や土を使用せずに、培養液を使用してもよい。すなわち、第１,第２の根２１,２２を培養液に浸ける水耕栽培によって、第１,第２の茎３１,３２を成長させてもよい。
【００３８】
上記第１実施形態では、第１,第２の茎３１,３２は、第１,第２の培地１１,１２から上方に伸びるように成長させていたが、第１,第２の培地１１,１２から斜め上方に伸びるように成長させてもよい。
【００３９】
上記第１実施形態において、第１,第２の茎３１,３２は、所定の高さよりも高くならないよう、先端を切断してもよい。
【００４０】
上記第１実施形態では、果実４１は、第１の茎３１から３段発生させていたが、第１の茎３１から１段、２段または４段以上発生させてもよい。
【００４１】
上記第１実施形態では、肥料を溶かした水を含ませた第２の培地１２で第１の茎３１の一部を覆うことにより、その一部から第２の根２２を発生させていたが、第１の茎３１の一部に傷を付けたり、発根促進剤を塗ったりすることにより、その一部から第２の根２２を発生させてもよい。
【００４２】
〔第２実施形態〕
図２は、この発明の植物の栽培方法の第２実施形態のトマトの栽培方法を説明するための模式図である。なお、図２おいて、上記第１実施形態の図１の構成部と同一構成部には、上記第１実施形態の図１の構成部の参照番号と同一参照番号を付している。また、下記の説明においても、上記第１実施形態の構成部と同一構成部には、上記第１実施形態の構成部の参照番号と同一参照番号を付している。
【００４３】
上記第２実施形態のトマトの栽培方法では、複数のクリップ２０２のそれぞれに棒状の支柱２０１および第１の茎３１を把持させて、第１の茎３１が回転しないようにしている。このとき、第１の培地１１は鉢２０３に入れられており、この鉢２０３が空中に浮くようにしている。
【００４４】
上記支柱２０１の上端部は、第１の茎３１の上方に設けられて略水平方向に延在する保持部材(図示せず)に回転可能に接続されている。一方、支柱２０１の下端部は、第１の培地１１に突き刺されている。
【００４５】
また、図示しないが、果実４１を収穫した後、第１の茎３１と同様に、複数のクリップ２０２のそれぞれに棒状の支柱２０１および第２の茎３２を把持させて、第２の茎３２が回転しないようにする。ここでも、第２の培地２１は鉢２０３に入れ、この鉢２０３を空中に浮かす。
【００４６】
このように、上記鉢２０３を空中に浮かしているので、果実４１を収穫し易い方向に容易に向けることができる。したがって、果実４１を収穫する人の作業負担を大幅に軽減できる。
【００４７】
また、上記第２の茎３２において果実が発生する側を、第１の茎３１において果実４１が発生する側と容易に一致させることができる。
【００４８】
上記第２実施形態において、支柱２０１の上端部を、例えばラチェット機構を介して上記保持部材に回転可能に接続してもよい。これにより、鉢２０３および第１,第２の茎３１,３２が不用意に回転するのを防ぐことができる。
【００４９】
上記第２実施形態において、クリップ２０２は、少なくとも第１,第２の茎３１,３２と異なる色に塗られるようにしてもよい。また、クリップ２０２は、第１,第２の茎３１,３２および支柱２０１と異なる色(例えば、金色、銀色、赤色など)に塗られるようにしてもよい。
【００５０】
上記第２実施形態において、クリップ２０２の位置を適宜設定してもよい。例えば、後に果実４１がなる場所つまり花房の付け根にクリップ２０２を取り付けると、花や果実４１の場所が分かり易くなる。このようにすると、クリップ２０２が、第１,第２の茎３１,３２だけでなく、花房の付け根の部分にも係合するので、クリップ２０２が滑り難くなる。
【００５１】
また、上記花房の付け根にクリップ２０２を取り付ける場合、クリップ２０２に例えばＩＣ(集積回路)タグを取り付けて、受粉を行った日、花が咲いた日などの情報をＩＣ(集積回路)タグに書き込むようにしてもよい。
【００５２】
上記第２実施形態において、第２の茎３２に発生させた果実を収穫した後も、上述したように鉢２０３を空中に浮かして、果実を栽培してもよい。
【００５３】
上記第２実施形態では、支柱２０１への第１,第２の茎３１,３２の固定にクリップ２０２を用いていたが、そのような固定ができるものであれば、クリップ２０２以外の部材(例えば紐)を用いてもよい。
【００５４】
上記第２実施形態において、支柱２０１の換わりに例えば紐を用いて、鉢２０３を空中に浮かしてもよい。
【００５５】
この発明の具体的な実施形態について説明したが、この発明は上記第１,第２実施形態に限定されるものではなく、この発明の範囲内で種々変更して実施することができる。例えば、この発明の植物の栽培方法の他の実施形態としては、ナス、キュウリ、シソ等の栽培方法がある。ナスやキュウリの栽培方法では、ナスやキュウリの果実が収穫対象物の一例となる。また、シソの栽培方法では、シソの葉が収穫対象物の一例となる。
【００５６】
また、上記第１実施形態と上記第２実施形態を適宜組み合わせたり、第１実施形態の変形例を適宜組み合わせたしたりしたものを、この発明の植物の栽培方法の他の実施形態としてもよい。
【符号の説明】
【００５７】
１１  第１の培地
１２  第２の培地
２１  第１の根
２２  第２の根
３１  第１の茎
３２  第２の茎
４１  果実
【図１】
2016052266.tif 000003
【図２】
2016052266.tif 000004
【図３】
2016052266.tif 000005